(57)【特許請求の範囲】
【請求項１】
ゲート線、上記ゲート線に絶縁して交差するデータ線、前記ゲート線に連結されるゲート電極と前記データ線に連結されるソース電極とを有する薄膜トランジスタと、前記薄膜トランジスタのドレーン電極に連結される画素電極が形成されている第１基板と；前記画素電極に対向している共通電極が形成されている第２基板と；前記ゲート線に前記薄膜トランジスタをオン／オフするためのゲート信号を印加するためのゲートドライバーと；前記データ線に画像信号を示すデータ電圧を印加するためのデータドライバーと；前記ゲートドライバーに近接する側にある第１地点の共通電極に第１共通電圧を印加し、前記ゲートドライバーに対して第１地点より離れた側にある第２地点の共通電極に前記第１共通電圧より大きい第２共通電圧を印加する共通電圧発生部を含み、
前記共通電圧発生部は、電源電圧と；前記電源電圧に一部が連結され、前記第２地点に他方が連結される第１抵抗と；接地点に一部が連結され、前記第１地点に他方が連結される第２抵抗と；を含み、前記第１抵抗または前記第２抵抗は可変抵抗であり、前記第１地点と前記第２地点とは前記第２基板の内部抵抗を通じて電気的に連結される液晶表示装置。
【請求項２】
前記第１共通電圧と前記第２共通電圧との差は、前記ゲート線の特性によって調節されることを特徴とする請求項１に記載の液晶表示装置。
【請求項３】
前記第２地点に一部が連結され、接地点に他方が連結される第１キャパシターと、前記第１地点に一部が連結され、接地点に他方が連結される第２キャパシターをさらに含む請求項１に記載の液晶表示装置。
【請求項４】
前記第２共通電圧と前記第１共通電圧との差異は、前記第１地点におけるキックバック電圧と前記第２地点におけるキックバック電圧との差異と同一であるのを特徴とする請求項１〜３のいずれかに記載の液晶表示装置。
【発明の詳細な説明】
【０００１】
【発明の属する技術分野】
本発明は液晶表示装置（ｌｉｑｕｉｄ  ｃｒｙｓｔａｌ  ｄｉｓｐｌａｙ；ＬＣＤ）に関するものであって、より詳しくは互いに異なる共通電圧を有する薄膜トランジスタ（ｔｈｉｎ  ｆｉｌｍ  ｔｒａｎｓｉｓｔｏｒ；ＴＦＴ）液晶表示装置に関する。
【０００２】
【従来の技術】
ＴＦＴ−ＬＣＤは二つの基板の間に注入されている異方性誘電率を有する液晶物質に電界を印加し、この電界の強さを調節して基板に透過される光の量を調節することによって、望む画像信号を得る表示装置である。
【０００３】
前記のようなＴＦＴ−ＬＣＤの基板の上には互いに平行した複数のゲート線とこのゲート線に絶縁されて交差する複数のデータ線とが形成され、これらゲート線とデータ線とによって囲まれている領域とが一つの画素を規定する。各画素のゲート線とデータ線とが交差する部分にはＴＦＴが形成される。
【０００４】
図１は一般的なＴＦＴ−ＬＣＤで単位画素に対する等価回路を示す。
【０００５】
図１に示したように、ＴＦＴ１０のゲート電極ｇ、ソース電極ｓ、ドレーン電極ｄはそれぞれゲート線Ｇｎ、データ線Ｄｍ、画素電極Ｐに連結される。画素電極Ｐと共通電極Ｃｏｍとの間には液晶物質が形成されるが、これを等価的に液晶容量Ｃｌｃで示した。そして、画素電極と前端ゲート線Ｇｎ−１との間には蓄積容量Ｃｓｔが形成され、ゲート電極とドレーン電極との間には誤整列（ｍｉｓａ−ｌｉｇｎｍｅｎｔ）などに起因した寄生容量Ｃｇｄが生じる。液晶容量Ｃｌｃと蓄積容量ＣｓｔとはＴＦＴ−ＬＣＤが駆動しなければならない負荷として作用する。
【０００６】
前記のようなＴＦＴ−ＬＣＤの動作を説明すると次の通りである。
【０００７】
先ず、表示しようとするゲート線Ｇｎに連結されたゲート電極にゲートオン電圧を印加して、ＴＦＴ１０をオンにした後に、画像信号を示すデータ電圧をソース電極ｓに印加してこのデータ電圧がドレーン電極ｄに印加されるようにする。すると、前記データ電圧は画素電極Ｐを通じてそれぞれ液晶容量Ｃｌｃと蓄積容量Ｃｓｔとに印加され、画素電極Ｐと共通電極Ｃｏｍとの電圧の差によって電界が形成される。この時、液晶物質に同じ方向の電界が続いて印加されると液晶が劣化するので、ＬＣＤパネルでは液晶の劣化を防止するために画像信号を共通電極に対して陽、陰繰り返して駆動し、このような駆動方式を反転駆動方式と言う。
【０００８】
【発明が解決しようとする課題】
一方、ＴＦＴがオンの状態になった場合に液晶容量Ｃｌｃ及び蓄積容量Ｃｓｔに印加された電圧はＴＦＴがオフの状態になった後にも続いて持続されなければならないが、ゲート電極とドレーン電極との間にある寄生容量Ｃｇｄのために、画素電極に印加された電圧は歪曲が生じるようになる。このように歪曲された電圧をキックバック（ｋｉｃｋ−ｂａｃｋ）電圧と言うが、このキックバック電圧ΔＶは次の数式１から求められる。
【数１】
0004819209.tif 000002
ここで、ΔＶｇはゲート電圧の変化量、つまりゲートオン電圧Ｖｏｎとゲートオフ電圧Ｖｏｆｆの差を意味する。
【０００９】
前記電圧歪曲はデータ電圧の極性に関係なく、常に画素電極の電圧を下げる方向に作用するようになり、これを図２に示した。
【００１０】
図２において、Ｖｇ、Ｖｄ、Ｖｐはそれぞれゲート電圧、データ電圧、画素電極の電圧を示し、Ｖｃｏｍ、ΔＶはそれぞれ共通電極電圧（共通電圧）とキックバック電圧とを示す。
【００１１】
図２に点線で示したように、理想的なＴＦＴ−ＬＣＤではゲート電圧Ｖｇがオンである時にデータ電圧Ｖｄが画素電極に印加されてゲート電圧がオフとなる場合にも前記データ電圧を維持するが、実際のＴＦＴ−ＬＣＤでは図２の実線で示したように、ゲート電圧が変わる部分ではキックバック電圧ΔＶの影響で画素電圧Ｖｐがキックバック電圧の分だけ下方に下がる。
【００１２】
一方、液晶に印加される電圧の実効値は画素電圧Ｖｐと共通電圧Ｖｃｏｍとの間の面積で決められるが、液晶表示装置を反転駆動方式で駆動する場合には共通電圧を中心とした画素電圧の面積が対象になるように共通電圧のレベルを調節する必要があり、このために従来は画素電圧の面積が対象となる一定の共通電圧を共通電極に印加した。
【００１３】
これは共通電圧Ｖｃｏｍを中心にした画素電圧Ｖｐの面積が対象にならない場合には各画素に充電される画素電圧の量がフレーム毎に差異が発生し、画素電圧が反転される時に画面がちらつくフリッカー（ｆｌｉｃｋｅｒ）現象が発生するためである。
【００１４】
しかし、フリッカー現象を防止するために従来のように一定の共通電圧を共通電極に印加する場合にも、次のような理由でフリッカー現象が依然として発生するようになる。
【００１５】
一般にゲート線は抵抗成分と寄生容量成分とを有しており、これによってこの二つの値の積によって決定される時定数分のゲート電圧の遅延が生じるようになる。この信号遅延は液晶パネルが大きくなるほどさらに大きくなる。
【００１６】
図３はゲート線の長さによって遅延されるゲート電圧Ｖｇの測定値を概略的に示した図面である。図３において、Ｖｇ１とＶｇ２とはそれぞれゲート電圧の入力端から近いところと遠いところとのゲート線で測定されるゲート電圧を示す。
【００１７】
図３に示したように、ゲート電圧の入力端から遠くなるほど、つまりゲート信号の遅延が大きいほどゲート電圧の変化量（数式１のΔＶｇ）は小さくなり、これによって数式１から分かるようにキックバック電圧（ΔＶ）は小さくなる。
【００１８】
したがって、共通電圧を一定に印加する場合、この電圧が画素電圧の中心値として維持されないので、フレーム単位で画素に充填される電圧の値が異なるようになって、フリッカー現象が発生するようになる。このような現象は液晶表示装置の画面が大型化して、ゲート線が長くなることによってさらに問題となる。
【００１９】
本発明の目的は、前記のような問題点を解決するためのものであって、ゲート電圧の信号遅延によって生じるフリッカー現象を防止するためのものである。
【００２０】
【課題を解決するための手段】
前記のような目的を達成するための本発明による液晶表示装置は、  ゲート線、上記ゲート線に絶縁して交差するデータ線、前記ゲート線に連結されるゲート電極と前記データ線に連結されるソース電極とを有する薄膜トランジスタと、前記薄膜トランジスタのドレーン電極に連結される画素電極が形成されている第１基板と；前記画素電極に対向している共通電極が形成されている第２基板と；前記ゲート線に前記薄膜トランジスタをオン／オフするためのゲート信号を印加するためのゲートドライバーと；前記データ線に画像信号を示すデータ電圧を印加するためのデータドライバーと；前記ゲートドライバーに近接する側にある第１地点の共通電極に第１共通電圧を印加し、前記ゲートドライバーに対して第１地点より離れた側にある第２地点の共通電極に前記第１共通電圧より大きい第２共通電圧を印加する共通電圧発生部を含み、前記共通電圧発生部は、電源電圧と；前記電源電圧に一部が連結され、前記第２地点に他方が連結される第１抵抗と；接地点に一部が連結され、前記第１地点に他方が連結される第２抵抗と；を含み、前記第１抵抗または前記第２抵抗は可変抵抗であり、前記第１地点と前記第２地点とは前記第２基板の内部抵抗を通じて電気的に連結される。
【００２１】
前記第１共通電圧と前記第２共通電圧との差は、前記ゲート線の特性によって調節されることを特徴とする。
前記第２地点に一部が連結され、接地点に他方が連結される第１キャパシターと、前記第１地点に一部が連結され、接地点に他方が連結される第２キャパシターをさらに含む。
前記第２共通電圧と前記第１共通電圧との差異は、前記第１地点におけるキックバック電圧と前記第２地点におけるキックバック電圧との差異と同一であるのを特徴とする。
【００２２】
本発明の液晶表示装置においては前記共通電圧発生部の可変抵抗値を調節することによって、前記第２共通電圧と前記第１共通電圧との差を調節することができ、具体的に可変抵抗値を調節して、前記第２共通電圧と前記第１共通電圧との差異が前記第１地点でのキックバック電圧と前記第２地点でのキックバック電圧との差異と同一になるようにすることによってフリッカーを防止する。
【００２３】
【発明の実施の形態】
以下、本発明が属する技術分野において、通常の知識を有している者がこの発明を容易に実施することができるように、本発明の実施例を詳細に説明する。
【００２４】
図４は本発明を概略的に示すための図面である。
【００２５】
図４において、Ａはゲート電圧を印加するゲートドライバー（図示せず）に近い部分であり、Ｂはゲートドライバーに印加する地点から遠いところに位置する部分を示す。
【００２６】
本発明ではゲート線の両端（Ａ、Ｂ）に対応する共通電極に互いに異なる共通電圧（Ｖｏｍ１、Ｖｃｏｍ２）を印加する。つまり、本発明ではゲート線による信号遅延によってＢ点のキックバック電圧がＡ点のキックバック電圧より小さいために生じる従来のフリッカー現象を防止するために、パネル１００のＢ地点に印加された共通電圧（Ｖｃｏｍ２）をＡ地点に印加された共通電圧（Ｖｃｏｍ１）より大きくした。これを具体的に説明すると次の通りである。
【００２７】
ゲートドライバーの隣接部分に位置しているＡ地点のキックバック電圧をΔＶ（Ｏ）とし、遠いところに位置しているＢ地点のキックバック電圧をΔＶ（Ｌ）とすると、これらキックバック電圧は次の数式２で示すことができる。
【数２】
0004819209.tif 000003
ここで、Ｖｏｎ（Ｏ）とＶｏｎ（Ｌ）とはそれぞれＡ地点とＢ地点とでのゲートオン電圧を示し、Ｃｇｄ、Ｃｓｔ、Ｃｌｃはゲート電極とドレーン電極との間の寄生容量、蓄積容量、液晶容量を示す。
【００２８】
前記数式２において、ゲート線の信号遅延によってＶｏｎ（Ｏ）＞Ｖｏｎ（Ｌ）であるので、ΔＶ（Ｏ）＞ΔＶ（Ｌ）となる。つまり、ゲートドライバーから遠いほどキックバック電圧は小さくなり、これによってゲートドライバーから遠い部分であるほどキックバック電圧によって画素電圧が下方に下がる現象が少なくなる。
【００２９】
したがって、Ａ地点での共通電圧（Ｖｃｏｍ（Ｏ））よりＢ地点での共通電圧（Ｖｃｏｍ（Ｌ））を大きくすると、ゲート遅延によるフリッカー現象を防止することができる。この時、ゲート遅延によるフリッカーを防止するためのキックバック電圧と共通電圧との間の関係式は数式３の通りである。
【数３】
0004819209.tif 000004
数式３から分かるように、Ｂ地点とＡ地点とでの共通電圧の差異（Ｖｃｏｍ（Ｌ）−Ｖｃｏｍ（Ｏ））がＡ地点とＢ地点とでのキックバック電圧の差異（Ｖｏｎ（Ｏ）−Ｖｏｎ（Ｌ））と同一になるようにすると、ゲート線の信号遅延によるフリッカー現象を防止することができる。
【００３０】
図５は本発明の実施例によるＴＦＴ−ＬＣＤを示す図面である。
【００３１】
図５に示されたように、本発明の実施例によるＴＦＴ−ＬＣＤはＴＦＴ−ＬＣＤパネル１００、ゲートドライバー２００、データドライバー３００、共通電圧発生部４００からなる。
【００３２】
データドライバー３００は画像信号を示すデータ電圧をＴＦＴ−ＬＣＤパネル１００の各データ線Ｄに印加し、ゲートドライバー２００は各データ線Ｄに印加されたデータ電圧が画素電極に印加できるように、各画素のＴＦＴをオンにするゲート電圧を出力する。
【００３３】
ＴＦＴ−ＬＣＤパネル１００にはデータドライバー３００からのデータ電圧を伝達するデータ線Ｄとゲートドライバー２００からのゲート電圧を伝達するゲート線Ｇとが互いに交差して形成される。各画素のＴＦＴのソース電極とゲート電極とはこのデータ線とゲート線とに連結される。図５では説明の便宜上、ＴＦＴ−ＬＣＤパネル１００に一つの画素に対する等価回路だけを示し、ここで画素電極に充電される電圧はＶｐで、蓄積容量電極に充電される電圧はＶｓｔで示した。
【００３４】
共通電圧発生部４００はゲート線の両端（Ａ、Ｂ）に対応する共通電極に互いに異なる共通電圧（Ｖｃｏｍ１、Ｖｃｏｍ２）を印加する。この時、Ｖｃｏｍ２はＶｃｏｍ１より大きい値が印加され、具体的に数式３を満足する値が印加される。
【００３５】
図６は本発明の実施例によるＴＦＴ−ＬＣＤパネルの構造を示した図面である。
【００３６】
図６に示したように、本発明の実施例によるＴＦＴ−ＬＣＤパネルは第１基板１１０、第１基板と対向する第２基板１２０とで構成されている。ここで、通常第１基板１１０は薄膜トランジスタ及び画素電極が形成されており、薄膜トランジスタ基板とも呼ばれる。また、第２基板１２０はカラーフィルター及び共通電極が形成されており、対向基板とも呼ばれる。
【００３７】
二つの基板１１０、１２０の中央には画像信号を表示する多数の画素からなる表示領域１３０がある。露出された第1基板１１０の上部は多数のデータ線（図示せず）と連結されており、外部からデータ電圧を伝達するデータパッド１４０が群集している。また、露出された第１基板の左側は多数のゲート線（図示せず）と連結されており、外部からゲート電圧を伝達するためのゲートパッド１５０が群集して形成されている。表示領域１３０とパッド１４０、１５０との間にはゲート線及びデータ線とそれぞれのパッド１４０、１５０を連結する連結部１４１、１５１がそれぞれ形成されている。
【００３８】
表示領域１３０外の四つの角には四つの共通電極接触点１６１、１６２、１６３、１６４が分布しており、接触点１６１、１６２、１６３、１６４はパッド１４０、１５０の側に余分に形成されているダミーパッド１７１、１７２、１７３を通じて外部から共通電圧の印加を受ける。また、二つの基板１１０、１２０の右側に形成されている二つの接触点１６３、１６４は共通連結線１８０で連結されるが、この共通連結線１８０は二つの接触点１６３、１６４の間の抵抗によって発生する電圧降下を最小化するために多数の低抵抗金属膜の配線で形成する。
【００３９】
ここで、共通電極接触点（１６１、１６２）、（１６３、１６４）にはそれぞれ互いに異なる共通電圧（Ｖｃｏｍ１、Ｖｃｏｍ２）が印加されて、ゲート線の信号遅延によるフリッカー現象を防止する。
【００４０】
次に、図７を参照して本発明の第１実施例による共通電圧発生部４００について説明する。
【００４１】
図７に示したように、本発明の第１実施例による共通電圧発生部４００は第１共通電圧発生部４１０と第２共通電圧発生部４２０とからなる。第１及び第２共通電圧発生部４１０、４２０はそれぞれ独立的に共通電圧Ｖｃｏｍ１とＶｃｏｍ２とを生成するためのものであって、電源電圧Ｖａ、抵抗Ｒ１、Ｒ２、Ｒ３、Ｒ４、演算増幅器ＯＰ１、ＯＰ２からなる。
【００４２】
図７において、第１共通電圧発生部４１０は電圧Ｖａを抵抗Ｒ１、Ｒ２に分圧した後、演算増幅器ＯＰ１を通じてこの分圧された電圧を増幅して、共通電圧Ｖｃｏｍ１を生成する。これと同様に第２共通電圧発生部４２０は電圧Ｖａを抵抗Ｒ３、Ｒ４で分圧した後、演算増幅器ＯＰ２を通じてこの分圧された電圧を増幅して、共通電圧Ｖｃｏｍ２を生成する。この時、共通電圧（Ｖｃｏｍ１、Ｖｃｏｍ２）は数式３の関係式を満たすが、これらの関係式はＴＦＴ−ＬＣＤパネルの製造時に適切な抵抗Ｒ１、Ｒ２、Ｒ３、Ｒ４値を選択するか、適切な演算増幅器ＯＰ１、ＯＰ２の利得値を選択することによって達成される。
【００４３】
一方、図７に示した本発明の第１実施例ではＴＦＴ−ＬＣＤパネルの特性のばらつき（ｐａｎｅｌ  ｔｏ  ｐａｎｅｌ  ｖａｒｉａｔｉｏｎ）によって各パネルのゲート線の遅延特性が異なる場合には適用しにくいという問題点がある。
【００４４】
たとえば、ゲート線の遅延が小さいＸというパネルのＢ地点でのキックバック電圧がΔＶ（Ｌ）とし、ゲート線の遅延が大きいＹというパネルのＢ地点でのキックバック電圧がΔＶ（Ｌ）′とすると、ΔＶ（Ｌ）＞ΔＶ（Ｌ）′となる。
【００４５】
前記の場合には数式３から分かるように、ＸパネルのＢ地点とＡ地点とに印加される共通電圧の差（Ｖｃｏｍ（Ｌ）−Ｖｃｏｍ（Ｏ））はＹパネルのＢ地点とＡ地点とに印加される共通電圧の差（Ｖｃｏｍ（Ｌ）′−Ｖｃｏｍ（Ｏ）′）より小さくならなければならない。
【００４６】
したがって、各ＴＦＴ−ＬＣＤパネルの変異によるゲート線の遅延特性に対応して、ゲート線の両端に印加される共通電圧の差を調節することによってフリッカーを防止する必要がある。
【００４７】
しかし、本発明の第１実施例によると、ＴＦＴ−ＬＣＤ製造時に既に抵抗値及び演算増幅器の利得値が固定されるために、パネルの変移によって各ＴＦＴ−ＬＣＤパネルのゲート線の遅延特性が変わる場合に生じるフリッカーを効果的に防止することができないという問題点がある。
【００４８】
本発明の第２実施例による共通電圧発生部４００はこれと同様な問題点を解決するためのものであって、図８にこれを示した。
【００４９】
図８に示したように、本発明の第２実施例による共通電圧発生部４００は電源電圧ＶＤＤ、可変抵抗ＶＲ、抵抗Ｒ５とキャパシターＣ１、Ｃ２からなる。
【００５０】
図８において、可変抵抗ＶＲの一端は電源電圧ＶＤＤに連結され、他端ＣはキャパシターＣ１の一端に連結される。キャパシターＣ１の他端は接地点に連結される。可変抵抗ＶＲとキャパシターＣ１との間の接点の電圧は共通電圧Ｖｃｏｍ２としてＴＦＴ−ＬＣＤパネル１００のＢ部分に印加される。
【００５１】
抵抗Ｒ５の一端は接地点に連結され、他端ＤはキャパシターＣ２の一端に連結される。キャパシターＣ２の他端は接地点に連結される。抵抗Ｒ５とキャパシターＣ２との間の接点の電圧は共通電圧Ｖｃｏｍ１としてＴＦＴ−ＬＣＤパネル１００のＡ部分に印加される。
【００５２】
一方、可変抵抗ＶＲとキャパシターＣ１との間の接点Ｃと、抵抗Ｒ５とキャパシターＣ２との間の接点Ｄとは、ＴＦＴ−ＬＣＤパネル１００の内部抵抗（Ｒｉｎ）を通じて電気的に連結される。
【００５３】
図８に示した第２実施例において、ＴＦＴ−ＬＣＤパネルのＡ部分とＢ部分とに印加される共通電圧Ｖｃｏｍ（Ｏ）、Ｖｃｏｍ（Ｌ）はそれぞれ次の数式４で求められる。
【数４】
0004819209.tif 000005
【００５４】
前記数式４から、パネルのＢ地点及びＡ地点に印加される共通電圧の差は次の数式５で求められる。
【数５】
0004819209.tif 000006
【００５５】
数式５から分かるように、パネルの両端間の電圧の差は可変抵抗ＶＲによって調整することができ、これによってパネルの変異によるゲート線の遅延特性の差異によって生じるフリッカーもこの可変抵抗値を適切に調節することによって防止することができる。
【００５６】
一方、図８のキャパシターＣ１、Ｃ２は共通電極端から発生するリップル（ｒｉｐｐｌｅ）を除去するためのものである。このリップルは共通電極と連結される液晶キャパシターで必要な電荷の移動によって発生するのもであって、この現象を最小化するためには一つのゲート線に対応する液晶キャパシターの容量より大きいか同一でなければならない。
【００５７】
以上、本発明の実施例について説明したが、本発明は前記実施例に限られるものでなく、その他の多くの変更及び変形が可能であるのは当然のことである。
【００５８】
たとえば、図８に示した本発明の第２実施例では一つの可変抵抗を用いたが、二つ以上の可変抵抗を用いても構わない。
【００５９】
【発明の効果】
以上説明したように、本発明によるとゲート線の両端に対応する共通電極に互いに異なる共通電圧を印加することによって、ゲート電圧の信号遅延によって生じるフリッカー現象を防止することができる。
【００６０】
また、本発明では、可変抵抗の抵抗値を変化させることで共通電圧の値を変更することができるので、パネルに特性のばらつきがある場合でも、ゲート線の遅延特性の差異によって生じるフリッカー現象を防止することができる。
【図面の簡単な説明】
【図１】一般的な薄膜トランジスタ液晶表示装置の単位画素に対する等価回路を示す図面である。
【図２】キックバック電圧による電圧歪曲を示す図面である。
【図３】ゲート線の信号遅延によって遅延するゲート電圧の測定値を概略的に示す図面である。
【図４】本発明を概略的に示した図面である。
【図５】本発明の実施例による薄膜トランジスタ液晶表示装置を示す図面である。
【図６】本発明の実施例による薄膜トランジスタ液晶表示装置パネルの構造を示す図面である。
【図７】本発明の第１実施例による共通電圧発生部を示す図面である。
【図８】本発明の第２実施例による共通電圧発生部を示す図面である。
【符号の説明】
１００                    パネル
１１０、１２０            基板
１３０                    表示領域
１４０                    データパッド
１５０                    ゲートパッド
１６１、１６２、１６３、１６４    共通電極接触点
１７１、１７２、１７３    ダミーパッド
２００                    ゲートドライバー
３００                    データドライバー
４１０                    第１共通電圧発生部
４２０                    第２共通電圧発生部
Ａ、Ｂ                    ゲート線の両端点
Ｃ１、Ｃ２                キャパシター
Ｄ                        データ線
Ｇ                        ゲート線
Ｖａ                      電源電圧
ＶＤＤ                    電源電圧
ＶＲ                      可変抵抗
Ｒ１、Ｒ２、Ｒ３、Ｒ４、Ｒ５    抵抗
ＯＰ１、ＯＰ２            演算増幅器
【図１】
0004819209.tif 000007
【図２】
0004819209.tif 000008
【図３】
0004819209.tif 000009
【図４】
0004819209.tif 000010
【図５】
0004819209.tif 000011
【図６】
0004819209.tif 000012
【図７】
0004819209.tif 000013
【図８】
0004819209.tif 000014